(57)【要約】      （修正有）【課題】ゼリー、プリン、ヨーグルト、乳酸菌飲料などの市販食品用ラベル蓋を容易に取り除く事が出来る爪切り形状の自助具を提供する。【解決手段】先端部に平面挟持部を有する上板部材２と先端部に平面挟持部を有する下板部材５を備え、操作部材８により上板部材先端部４挟持部と下板部材先端部７挟持部とを互に接近及び離間させることが出来る、ラベル蓋取り外し用爪切り形状の自助具１において、上板部材先端挟持部及び下板部材先端挟持部の間にゼリー、プリン、ヨーグルト、乳酸菌飲料などの蓋取り外し用突起を挿入し、操作部材により上板部材先端部挟持部と下板部材先端部挟持部を互いに接近させはさみ込んだ場合、蓋取り外し用突起が切断、破断されること無く噛込み固定され、蓋と本体の取り外しが容易に行えるよう、上板部材挟持部及び下板部材挟持部に０．４ミリメートル以上４ミリメートル以下の平面を設けた。【選択図】図２
0003232057.tif 000002
【実用新案登録請求の範囲】
【請求項１】
先端部に挟持部を有する上板部材と先端部に挟持部を有する下板部材とを備え、操作部材により上板部材の先端部の挟持部と下板部材の先端部の挟持部とを互に接近及び離間させることが出来る爪切り形状の自助具において、上板部材挟持部及び下板部材の挟持部を接近加圧させた場合、ゼリー、プリン、ヨーグルト、乳酸菌飲料などの取り外し用突起が切断、破断されずしっかり噛込み可能なように上板部材及び下板部材挟持部を０．４ミリメートル以上４ミリメートル以下の平面を設けた事による爪切り形状の自助具。
【考案の詳細な説明】
【技術分野】
【０００１】  本考案は、ゼリー、プリン、ヨーグルト、乳酸菌飲料などの市販食料品のラベル蓋を取り除く場合に使用する爪切り形状の自助具に関するものである。
【背景技術】
【０００２】  ゼリー、プリン、ヨーグルト、乳酸菌飲料など市販の食料品にはラベル蓋が設けられており、そのラベル蓋には取り外し用突起片が設けられており、この突起片を指先でつまみ、ラベル蓋を外し食するようになっている。
【先行技術文献】
【特許文献】
【０００３】
【特許文献１】実登３１３１５２１
【０００４】
【特許文献２】特開２００７−０１４７３６
【０００５】
【特許文献３】実登３００７８１５
【考案の概要】
【考案が解決しようとする課題】
【０００６】  ゼリー、プリン、ヨーグルト、乳酸菌飲料などの市販食料品のラベル蓋を取り外す場合、通常は指先でラベル蓋取り外し用突起をつまみ本体と引き離すことによりラベル蓋は取り除ける。しかしながら指先の力が弱い高齢者や、障害者にはこの作業が困難であり、他人に取り外しを依頼するか、食することを断念しなければならなかった。
はさみ、ニッパ、爪切り等にてラベル取り外し突起をつまみ引き剥がそうとしても、はさみ、ニッパ、爪切り等の刃先部で切断されこの方法ではラベル蓋を取り外すことは出来なかった。
容器を破壊すれば中身は取り出せるが、液体の果汁、ジュースは周囲に漏れ出てしまう。
【問題を解決するための手段】
【０００７】  片手で自助具を持ち、自助具先端の挟持部にラベル蓋取り外し用突起をはさみ、もう一方の手で食品本体をつかみ、自助具で取り外し用突起を挟んだまま食品から自助具両手を引き離すことにより容易にラベル蓋を取り外すことが出来る。
【考案の効果】
【０００８】  本考案は高齢者や、障害者で指先の力の弱った人が、本自助具を使用することにより、ゼリー、プリン、ヨーグルト、乳酸飲料などのラベル蓋取り外し用突起を破壊することなく容易に取り外すことが出来る。
【０００９】  小型軽量で容易に持ち運び、携帯が可能となり、家庭内は勿論出先においても容易に使用することが可能となる。
【００１０】  てこの機能を有するため、使用者の力量により本体１及び操作部材１０長さ調節した自助具を作成することにより、力量に合った自助具を選択することが可能となる。
【００１１】  使用時に特別の技術を必要とせず容易に使用出来るもので有る。
【００１２】  本考案の自助具は、図６参考図のように操作部材１０及び本体１に指掛け用リングを設けることにより安定して使用が可能となる。
【００１３】  市販の爪切りの刃部はその目的のため様々な刃部が考案されている。本考案はそれらの刃部を改良して本考案の使用目的を容易に達成できる。
【図面の簡単な説明】
【００１４】
【図１】  不使用状態の側面図
【図２】  使用状態の側面図
【図３】  （ａ）は図２の自助具において上下挟持部の互いに噛み合わせた状態を示す部分拡大側面図であり、（ｂ）は同じく部分拡大正面図であり、（ｃ）は同じく部分拡大平面図である。
【図４】  上板部材挟持部拡大図
【図５】  下板部材挟持部拡大図
【図６】  参考図  考案自助具の応用
【図７】  参考図  本考案自助具の使用状態
【考案を実施するための形態】
【００１５】  以下、本考案の実施形態について図１〜７を参照して説明する。
図１に示すように、不使用状態にある爪切り形状の自助具１において、上板部材２は上本体３に連続する先端部４とを備え、下板部材５は下本体６に連続する先端部７を備え、それらの本体３，６の基端部が互いに取着されているとともに、それらの先端部４，７が互いに離間している。操作部材８は、上板部材２の上本体３及び下板部材５の下本体６に対しそれらの先端部４，７の付近で軸線を中心に回動可能に支持された支軸９と上板部材２の上本体３上で支軸９に対し回動可能に支持された押圧操作てこ１０とを備えている
押圧操作てこ１０が図１に示すように倒伏された不使用状態から図２に示すように支軸９に対し回動されて起立された使用状態で、押圧操作てこ１０により上板部材２の上本体３を下板部材５の下本体６側へ押圧すると、上板部材２の先端部４と下板部材５の先端部７とは上板部材２および下板部材５の弾性力に抗して互いに接近するとともに、それらの弾性力により互いに離間する。具体例として上本体３、下本体６の長さは約８５ミリメートル、操作部材８の長さは約７５ミリメートル上本体３、下本体６の幅は約１５ミリメートルとする。操作部材８の幅は約１３ミリメートル。
【００１６】  図２に示すように、上板部材２において、上本体３には押圧操作てこ１０により押圧される押圧部１１が形成され、先端部４には押圧部１１の終端部１１ａから下板部材５の先端部７側へ鋭角で屈曲された噛込部１２が形成されている。また、下板部材５において、下本体６には支軸９に対する係止部１３が形成され、先端部７には係止部１３の終端部１３ａから上板部材２の先端部４側へ鋭角で屈曲された噛込部噛込部１４が形成されている。図３に示すように、上板部材２の噛込部１２の先端部には両刃付面１５間で挟持部線１６が形成されているとともに、下板部材５の噛込部１４の先端部には両刃付面１７間で挟持部線１８が形成され、それらの挟持部線１６、１８が互い相対向している。
【００１７】  図３，図４、図５に示すように、上板部材２の噛込部の挟持部線１６と下板部材５の噛込部の挟持部線１８とを互いに噛み合せた状態は直線で接する。
上板部材挟持部幅１９及び下板部材挟持部幅２０は、使用時相手物の破断、切断することを防止するため、０．４ミリメートル以上４ミリメートル以下の平面を設ける。
図４及び図５において挟持部１６及び挟持部１８は強度を損なわず、又摩耗にも耐えうるため両刃付面１５及び両刃付面１７に対し角度を設けその角度θ１５は１５度以上７５度以下とする。同様にθ１７は１５度以上７５度以下とする。
図６は本考案の変形例であり操作部材８に指挿入用のリング、下板本体６に指挿入用のリングをそれぞれ設ける事により安定した作業が可能となる。
図７は本考案の実施状況を示す。
【符号の説明】
【００１８】  １…爪切り形状の自助具、２…上板部材、３…上板本体、４…先端部、５…下板部材  ６…下板本体、７…先端部、８…操作部材、９…支軸、１０…押圧操作てこ、１１…押圧部  １２…噛込部、１３…係止部、１３ａ…終端部、１４…噛込部、１５…両刃付面、１６…挟持部線、１７…両刃付面、１８…挟持部線、１９…上板挟持部、２０…下板挟持部  θ１５…上板噛込部角度、θ１７…下板噛込部角度
【図１】
0003232057.tif 000003
【図２】
0003232057.tif 000004
【図３】
0003232057.tif 000005
【図４】
0003232057.tif 000006
【図５】
0003232057.tif 000007
【図６】
0003232057.tif 000008
【図７】
0003232057.tif 000009
【手続補正書】
【提出日】令和3年1月27日(2021.1.27)
【手続補正１】
【補正対象書類名】実用新案登録請求の範囲
【補正対象項目名】全文
【補正方法】変更
【補正の内容】
【実用新案登録請求の範囲】
【請求項１】
先端部に平面挟持部を有する上板部材と先端部に平面挟持部を有する下板部材を備え、操作部材により上板部材先端部挟持部と下板部材先端部挟持部とを互に接近及び離間させることが出来る、ラベル蓋取り外し用爪切り形状の自助具において、上板部材先端挟持部及び下板部材先端挟持部の間にゼリー、プリン、ヨーグルト、乳酸菌飲料などの蓋取り外し用突起を挿入し、操作部材により上板部材先端部挟持部と下板部材先端部挟持部を互いに接近させはさみ込んだ場合、ゼリー、プリン、ヨーグルト、乳酸菌飲料などの蓋取り外し用突起が切断、破断されること無く噛込み固定され、蓋と本体の取り外しが容易に行えるよう、上板部材挟持部及び下板部材挟持部に０．４ミリメートル以上４ミリメートル以下の平面を設けたラベル蓋取り外し用爪切り形状の自助具。